(57)【要約】【課題】  通常の平板状の型枠と利用できる他、型枠のコーナー部分として利用するときに、そのコーナー部分を形成するための優れた設計上の自由度を備え、意図していない位置からコンクリートやモルタルが漏出することを防ぐ型枠パネルを提供する。【解決手段】  型枠パネル１は、鋼製の板形状の材質を、正面略方形状かつ断面略角波形状に折り曲げ、切断加工して成形した埋め殺し型の型枠パネルである。パネル鋼板を断面略角波形状に折り曲げることで、型枠パネル１には、互いに平行な複数の凸条１１が所定間隔で並設されている。また、各凸条１１間には、所定間隔ごとに、複数の幅方向の断面凸状のリブ１２が、凸条１１に平行に繰り返し形成されている。さらに、凸条１１のパネル幅方向の両端には、所定長の切込み１３が、所定間隔で凸条１１と平行に破線状に設けられている。【選択図】        図１
2008007967.tif 000002
【特許請求の範囲】
【請求項１】
コンクリートの型枠として使用する型枠パネルであって、
前記型枠パネルには、パネル長さ方向に形成される複数の凸条がパネル幅方向に互いに略平行に並設され、
前記各凸条のパネル幅方向の両端には、パネル表裏に貫通している所定長の切込みが、前記凸条と略平行に一定間隔ごとに設けられていることを特徴とする型枠パネル。
【請求項２】
コンクリートの型枠として使用する型枠パネルであって、
前記型枠パネルには、パネル長さ方向に形成される複数の凸条がパネル幅方向に互いに略平行に並設され、
該凸条間には、複数のリブが前記凸条と略平行にパネル幅方向に並設されており、
前記凸条と該凸条に隣接するリブとの間に、パネル表裏に貫通している所定長の切込みが、前記凸条と略平行にパネル長さ方向に一定間隔ごとに設けられていることを特徴とする型枠パネル。
【請求項３】
前記各凸条のパネル幅方向の両端は、それぞれ溝部を介して前記リブと連設されており、
前記凸条と溝部との境界線上及び前記リブと溝部との境界線上に沿って、前記切込みの列を形成することを特徴とする請求項１又は２記載の型枠パネル。
【請求項４】
前記切込みは、前記切込みの列に沿って正逆方向に繰り返し折り曲げることにより、切断可能に形成されていることを特徴とする請求項１から３のいずれか１項に記載の型枠パネル。
【請求項５】
前記切込みの幅は、０．３〜１ｍｍであることを特徴とする請求項１から４のいずれか１項に記載の型枠パネル。
【発明の詳細な説明】
【技術分野】
【０００１】
本発明は、型枠パネルに関し、特に、建築物のコンクリート基礎や壁面等を形成するための型枠パネルに関する。
【背景技術】
【０００２】
建築物の基礎や壁面を形成するためのコンクリート型枠として、型枠パネルが用いられている。
施工時には、この型枠パネルを対向させながら立設させて、コンクリート基礎や壁面を形成するための型枠を構成し、この型枠間にコンクリートを流し込む。その後、コンクリートを硬化させた後であっても、この型枠パネルを取り除くことなく、そのまま建材として利用することができるようになっている。
このように、型枠パネルを用いてコンクリート型枠を形成することにより、型枠を取り除く手間を省くことができるとともに、建築物の基礎や壁面の強度を効果的に補強できるようになっている。
【０００３】
しかしながら、型枠パネルは通常板状であるため、コンクリート基礎のコーナー部分に用いることが困難であるという問題がある。
建築物のコンクリート基礎の施工時等には、必ずコーナー部分を形成する必要があるが、板状の型枠パネルでコーナー部分を形成しようとすると、どうしても、そのコーナー部分に隙間が生じてしまい、さらにはそのコーナー部分の強度が不足してしまう。従って、コーナー部分専用の型枠部材を別個用意しなければならないといった手間が生じることになる。
【０００４】
このような問題点を解決する建築用の型枠パネルとして、特許文献１が開示するところの型枠パネルが提案されている。
この特許文献１の型枠パネルには、金属薄板を折り曲げることで、パネル長手方向に伸びるリブ部が幅方向に所定の間隔で平行に突設されている。さらに、この型枠パネルには、そのリブ部と平行にかつ連続して、そのリブ部間に補強用の小リブが設けられている。そして、リブ間の略中央には、そのリブ部と平行に裏表が貫通しているスリットが点線状に複数設けられている。
この点線状に設けられたスリット列に沿って、この型枠パネルを直角に折り曲げることにより、コンクリート基礎や壁面のコーナー部分に利用することが可能なようになっている。
このように、特許文献１の型枠パネルは、通常の平板状の型枠パネルとして利用することができるとともに、折り曲げ加工することで十分な強度を備えた型枠コーナー部材として利用することができるようになっている。
【特許文献１】特許３２８３７３０
【発明の開示】
【発明が解決しようとする課題】
【０００５】
しかしながら、特許文献１の型枠パネルには、以下のような２つの問題点がある。
まず１つ目は、スリット列がリブ部の略中央にのみ設けられているため、パネルを折り曲げ加工可能な位置がリブ部の中央部分に限定されてしまい、施工の自由度が十分に得られないという点である。このため、建築物の基礎や壁面のサイズに合わせた、様々なサイズの型枠パネルを用意する必要に迫られる虞がある。
次に２つ目は、そのスリットが裏表に貫通して形成されているので、スリットの形成位置からコンクリートやモルタルが、基礎や壁面の外側に漏出してしまうという点である。
【０００６】
本発明は、上記問題点に鑑みてなされたものであり、通常の平板状の型枠と利用できる他、型枠のコーナー部分として利用するときに、そのコーナー部分を形成するための優れた設計上の自由度を備え、意図していない位置からコンクリートやモルタルが漏出することを防ぐ型枠パネルを提供することを目的とする。
【課題を解決するための手段】
【０００７】
かかる目的を達成するため、本発明は、コンクリートの型枠として使用する型枠パネルであって、その型枠パネルには、パネル長さ方向に形成される複数の凸条がパネル幅方向に互いに略平行に並設され、各凸条のパネル幅方向の両端には、パネル表裏に貫通している所定長の切込みが、凸条と略平行に一定間隔ごとに設けられていることを特徴とする。
【０００８】
また、本発明は、コンクリートの型枠として使用する型枠パネルであって、その型枠パネルには、パネル長さ方向に形成される複数の凸条がパネル幅方向に互いに略平行に並設され、凸条間には、複数のリブが凸条と略平行にパネル幅方向に並設されており、凸条と凸条に隣接するリブとの間に、パネル表裏に貫通している所定長の切込みが、凸条と略平行にパネル長さ方向に一定間隔ごとに設けられていることを特徴とする。
【０００９】
また、本発明によれば、それら各凸条のパネル幅方向の両端は、それぞれ溝部を介してリブと連設されており、その凸条と溝部との境界線上及びリブと溝部との境界線上に沿って、切込みの列を形成することを特徴とする。
【００１０】
また、本発明によれば、その切込みは、切込みの列に沿って正逆方向に繰り返し折り曲げることにより、切断可能に形成されていることを特徴とする。
【００１１】
また、本発明によれば、その切込みの幅は、０．３〜１ｍｍであることを特徴とする。
【発明の効果】
【００１２】
本発明によれば、型枠パネルには、パネル長さ方向に形成される複数の凸条が互いに略平行に並設され、各凸条のパネル幅方向の両端には、パネル表裏に貫通している所定長の切込みが、凸条と略平行に一定間隔ごとに設けられているので、所望の位置で型枠パネルを任意の角度に折り曲げることができ、様々なサイズの型枠のコーナー部分に利用することが可能となる。
【発明を実施するための最良の形態】
【００１３】
＜構成＞
図１は、本発明の実施の形態における建築用の型枠パネル１の外観を示す斜視図である。また、図２は、本発明の実施の形態におけるその型枠パネル１の断面図であり、図１のＡ−Ａ断面を表している。
以下、これらの図を用いて、本実施の形態における型枠パネル１の構成について説明する。
【００１４】
図に示すように、型枠パネル１は、鋼製の板形状の材質を、正面略方形状かつ断面略角波形状に折り曲げ、切断加工して成形した埋め殺し型の型枠パネルである。
例えば、この型枠パネル１の完成品の大きさは、長さ３００〜７０００ｍｍ、幅６００ｍｍ、厚さ０．２〜１．０ｍｍ程度である。
【００１５】
このように、パネル鋼板を断面略角波形状に折り曲げることで、型枠パネル１には、互いに平行な複数の凸条１１が所定間隔で並設され、パネル１自体の強度を補強している。
また、パネル断面を等辺角波型に成形することで、特に表面又は裏面側からの力に対して優れた強度を発揮する。
なお、本実施の形態においては、この凸条１１の形成方向を型枠パネル１の「長さ方向」とし、型枠パネル１においてその長さ方向に垂直な方向を「幅方向」とする。
【００１６】
図に示すように、その凸条１１は、上面３１と、この上面３１の両幅方向に連設されている２面の側面３２とにより構成されている。
この上面３１の幅方向の長さ及び側面３２の幅方向（奥行き方向）の長さは、１０〜２０ｍｍ程度である。
また、互いに隣接する凸条１１の幅方向の間隔は、１０〜５０ｍｍ程度である。
【００１７】
また、各凸条１１間の凹面には、所定間隔ごとに、複数の幅方向の断面凸状のリブ１２と、幅方向の断面凹状の溝部１６が、凸条１１に平行に繰り返し形成されている。
本実施の形態では、幅方向に凸条１１→溝部１６→リブ１２→溝部１６→リブ１２→・・・→溝部１６→凸条１１→・・・というように設けられており、凸条１１の幅方向の両側には、溝部１６が連設されている。
このリブ１２は、幅８〜２０ｍｍ程度、高さ３〜１０ｍｍ程度で、その幅方向断面が例えば半円弧状に形成されている。
また、溝部１６は、幅２〜１０ｍｍ程度に形成されている。
【００１８】
さらに、凸条１１のパネル幅方向の両端、すなわち、リブ１２とそのリブ１２に隣接する溝部１６との間の境界線上には、所定長の切込み１３が、所定間隔で凸条１１と平行に破線状に設けられている。
この破線状の切込み１３列に沿って型枠パネル１を所定の角度に折り曲げることにより、型枠のコーナー部分を形成することができるようになっている。
また、この破線状の切込み１３列に沿って、型枠パネル１を、正逆方向に数回繰り返し折り曲げることにより、型枠パネル１を所望のサイズに容易に切断することができるようになっている。
【００１９】
また、その切込み１３は、微小幅、所定長の型枠パネル１の表裏に貫通した切込みであり、コンクリートやモルタルを打設後に、その切込み１３から液状のコンクリートやモルタルが漏出しないように形成されている。また、そのコンクリートやモルタルに含まれる余分な水分が排出可能な程度に、その切込み１３の幅が形成されている。
例えば、この切込み１３は、幅が０．３〜１ｍｍ程度、長さが１０〜５０ｍｍ程度であり、その切込み１３の長さ方向の間隔が１０〜３０ｍｍ程度の破線状に形成される。
【００２０】
また、切込み１３列の幅方向の間隔は、実質的に凸条１１の幅方向の間隔、又は凸条１１の上面３１の幅方向の長さであるので、この凸条１１のパネル幅方向の形成間隔又は上面３１の幅を適宜調整することにより、切込み１３列の幅方向の間隔を１０〜５０ｍｍ程度の任意な間隔に容易に調整することができる。
このことにより、型枠パネル１の折り曲げ位置を所望の位置に自在に設計することが可能となり、型枠施工時の設計の自由度を大幅に向上させることが可能となる。
【００２１】
また、凸条１１の上面３１側には、複数の蓋状の蓋部１４が設けられている。この蓋部１４を開蓋させると、セパレータ挿入孔１５が形成される。
前述したように、施工時には、型枠パネル１を対向させて立設させ、型枠を構成するが、そのセパレータ挿入孔１５にセパレータを挿入してフォームタイ１０２で固定することにより、この対向した型枠パネル１同士を連結することができるようになっている。
【００２２】
図３は、本発明の実施の形態における型枠パネルの正面拡大図である。
図に示すように、凸条１１の上面３１側には、円の一部分を残して表裏に貫通したＣ字状の切込み２１と、その切込み２１を設けずに残した円の一部分である折返部２２とが設けられて、前述の蓋部１４を形成している。
この折返部２２に沿って蓋部１４を折り返すことにより、蓋部１４が開蓋状態になり、セパレータ挿入孔１５が形成されるようになっている。
【００２３】
図４は、本発明の実施の形態における型枠パネル１を、切込み１３列に沿って折り曲げたときの外観を示す斜視図である。
型枠パネル１は、切込み１３列に沿って所定の角度に自在に折り曲げることができる。例えば、図に示すように、切込み１３列に沿って略直角に折り曲げることにより、建築物のコンクリート基礎や壁のコーナー部分に利用することができるようになっている。
このことから、コーナー部分専用の型枠用部材を特に用意することなく、型枠パネル１だけで、平面部分とコーナー部分の両型枠部分を形成することが可能となる。
【００２４】
＜型枠パネル１の施工例＞
図５は、本発明の実施の形態における型枠パネル１の施工例を示す図である。
図に示すように、型枠パネル１を対向させながら立設して型枠を形成する。
このとき、型枠の平面（直線）部分については、折り曲げずにそのまま型枠パネル１を使用する。一方、型枠のコーナー部分については、任意の切込み１３列に沿って折り曲げて使用する。
【００２５】
型枠施工時には、型枠パネル１は、隣り合う他の型枠パネル１と、幅方向の端部を互いに重ね合わせるように立設している。
このとき、前述のセパレータ挿入孔１５の位置も互いに重なり合っている。この重なり合っているセパレータ挿入孔１５にセパレータを挿入してフォームタイ１０２をナット等で固定することにより、互いに隣接する型枠パネル１同士を固定するとともに、互いに対向している型枠パネル１同士の間隔を固定する。
【００２６】
また、型枠施工時には、型枠パネル１の正面側（型枠の外面側）に、パイプ１０１等を幅方向に渡して、型枠全体の強度を補強している。
このパイプ１０１は、フォームタイ１０２により保持され、型枠パネル１面上に固定される。
【００２７】
また、型枠パネル１の接地側は、一側辺が他側辺よりも長く形成されている断面略コの字状の支持部材１０３により立設されている。
この支持部材１０３のコの字状の溝に、型枠パネル１の波型断面側を挿嵌し、釘等の固定具でこの支持部材１０３と型枠パネル１とを固定する。
【００２８】
＜実施形態のまとめ＞
以上説明したように、本実施の形態によれば、複数の凸条１１が互いに略平行に所定間隔で併設され、さらに、その凸条１１間に補強用のリブ１２が複数互いに略平行に併設されている型枠パネル１において、凸条１１と、その凸条１１に隣接するリブ１２との間に、その凸条１１と略平行に破線状に折り曲げ用の切込み１３の列を設けたので、型枠パネル１を任意の位置で容易に折り曲げることにより、型枠の断面直線部分だけでなく、様々なサイズのコーナー部分にも型枠として利用することが可能となる。
【００２９】
また、切込み１３の幅は微小長であるので、コンクリートやモルタルの漏出を防ぐとともに、コンクリートやモルタル中の余分な水分を自然に排出することが可能となっている。
【００３０】
また、切込み１３の列に沿って、繰り返し正逆方向に折り曲げることにより、型枠パネル１を容易に切断することができ、多様なサイズの型枠パネルを容易に作成することができる。この結果、様々なサイズの型枠に合わせて、電動カッター等を用いてわざわざ切断するといった煩雑な作業を省略することができ、施工の効率を向上させることが可能となる。
【００３１】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００３２】
【図１】本発明の実施の形態における建築用の型枠パネルの外観を示す斜視図である。
【図２】本発明の実施の形態におけるその型枠パネルの断面図であり、
【図３】本発明の実施の形態における型枠パネルの正面拡大図である。
【図４】本発明の実施の形態における型枠パネルを切込み列に沿って折り曲げたときの外観を示す斜視図である。
【図５】本発明の実施の形態における型枠パネルの施工例を示す図である。
【符号の説明】
【００３３】
１    型枠パネル
１１    凸条
１２    リブ
１３，２１    切込み
１４    蓋部
１５    セパレータ挿入孔
１６    溝部
２２    折返部
３１    上面
３２    側面
１０１    パイプ
１０２    フォームタイ
１０３    支持部材
【図１】
2008007967.tif 000003
【図２】
2008007967.tif 000004
【図３】
2008007967.tif 000005
【図４】
2008007967.tif 000006
【図５】
2008007967.tif 000007
【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
コンクリートの型枠として使用する型枠パネルであって、
前記型枠パネルには、パネル長さ方向に形成される複数の凸条がパネル幅方向に互いに略平行に並設されるとともに、
該凸条間には、複数のリブが前記凸条と略平行にパネル幅方向に並設されており、
前記各凸条のパネル幅方向の両端は、それぞれ溝部を介して前記リブと連設されており、
前記リブと前記溝部とは所定の角度をもって連設され、該連設位置上に形成される前記リブと前記溝部との境界線上に沿って、前記切込みの列を形成することを特徴とする型枠パネル。
【請求項２】
前記切込みは、前記切込みの列に沿って正逆方向に繰り返し折り曲げることにより、切断可能に形成されていることを特徴とする請求項１記載の型枠パネル。
【請求項３】
前記切込みの幅は、０．３〜１ｍｍであることを特徴とする請求項１又は２記載の型枠パネル。
【手続補正２】
【補正対象書類名】明細書
【補正対象項目名】０００７
【補正方法】変更
【補正の内容】
【０００７】
かかる目的を達成するため、本発明は、コンクリートの型枠として使用する型枠パネルであって、その型枠パネルには、パネル長さ方向に形成される複数の凸条がパネル幅方向に互いに略平行に並設されるとともに、それら凸条間には、複数のリブが凸条と略平行にパネル幅方向に並設されており、各凸条のパネル幅方向の両端は、それぞれ溝部を介してリブと連設されており、そのリブと前記溝部とは所定の角度をもって連設され、当該連設位置上に形成されるリブと溝部との境界線上に沿って、切込みの列を形成することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】